(57)【要約】【課題】本発明は回転体の傾きを小さくできる回転操作型電子部品を提供することを目的とする。【解決手段】本発明は、この課題を解決するために、円環状の溝部２２Ａが形成されたケース２２と、溝部２２Ａ内に収容される円環状のフランジ部２３Ａを有した回転体２３と、溝部２２Ａを覆う金属カバー２４とを備え、回転体２３は、フランジ部２３Ａの外周部に形成され、かつ溝部２２Ａの開口方向へ突出する壁部２３Ｂを含み、壁部２３Ｂの上面が前記金属カバー２４で規制された構成である。この構成により、回転体２３の傾きを小さくできる。また、回転体２３の位置の精度を向上できる。さらに、回転体の遊びを小さくできる。【選択図】図１
2016207650.tif 000002
【特許請求の範囲】
【請求項１】
円環状の溝部が形成されたケースと、
前記溝部内に収容される円環状のフランジ部を有した回転体と、
前記溝部を覆う金属カバーと、を備え、
前記回転体は、前記フランジ部の外周部に形成され、かつ前記溝部の開口方向へ突出する壁部を含み、前記壁部の上面が前記金属カバーで規制された回転操作型電子部品。
【請求項２】
前記壁部は、前記フランジ部の外周部の全周に亘って円環状に形成された、
請求項１記載の回転操作型電子部品。
【請求項３】
前記フランジ部に塗布されたグリスを、さらに備えた、
請求項２記載の回転操作型電子部品。
【請求項４】
前記溝部に設けられた接点部と、
一端と他端とを有し、前記一端で前記回転体に固定され、前記他端に前記接点部と接触する接触部を有した接点ブラシを、さらに備えた、
請求項１記載の回転操作型電子部品。
【請求項５】
前記壁部の上端は、前記接点ブラシの弾性力によって、前記金属カバーへ押し当てられて、支持されている、
請求項４記載の回転操作型電子部品。
【請求項６】
前記金属カバーは環状の天面部を含み、
前記天面部の内縁に固着している樹脂部をさらに備え、
前記樹脂部は、前記回転体と接触している請求項１に記載の回転操作型電子部品。
【発明の詳細な説明】
【技術分野】
【０００１】
本発明は、各種電子機器に使用される回転操作型電子部品に関する。
【背景技術】
【０００２】
以下、従来の回転操作型電子部品について説明する。従来の回転操作型電子部品は、ケースと、回転体と、金属カバーとを含んでいる。円環状の溝部が、ケースに形成されている。回転体は、フランジ部と、円筒状の突出部を有している。このフランジ部は、溝部内に収容されている。さらに、円筒部は、外周側面に段差部を有している。金属カバーは、円環状であり、かつ溝部を覆っている。そして、回転体は段差部の上面と金属カバーの下面とによって位置決めされている。
【０００３】
なお、この出願の発明に関連する先行技術文献情報としては、例えば、特許文献１が知られている。
【先行技術文献】
【特許文献】
【０００４】
【特許文献１】特開２０１２−３９４２号公報
【発明の概要】
【発明が解決しようとする課題】
【０００５】
しかしながら従来の回転操作型電子部品において、金属カバーをケースにかしめ固定などで装着する際に、金属カバーの上面が変形する。したがって、金属カバーの下面と段差部の上面との間の隙間が大きくなる。その結果、回転体が傾くという課題を有していた。
【０００６】
そこで本発明は、この課題を解決したもので、回転体の傾きを小さくできる回転操作型電子部品を提供することが目的である。
【課題を解決するための手段】
【０００７】
この目的を達成するために、回転操作型電子部品は、円環状の溝部が形成されたケースと、溝部内に収容される円環状のフランジ部を有した回転体と、溝部を覆う金属カバーとを備え、回転体は、フランジ部の外周部に形成された溝部の開口方向へ突出し、フランジ部との間に隙間なく全周に亘り、円環状に形成された壁部を含み、壁部の上面が金属カバーで規制される。これにより所期の目的を達成することができる。
【発明の効果】
【０００８】
以上のように本発明によれば、壁部の上面が金属カバーで支持できるので、壁部の上端での回転体の上方向の移動を規制できる。したがって、回転体の傾きを小さくできる。また、回転体の位置の精度を向上できる。さらに、回転体の遊びを小さくできる。
【図面の簡単な説明】
【０００９】
【図１】本発明の実施の形態における回転操作型電子部品の断面図
【図２】本発明の実施の形態における回転操作型電子部品の分解斜視図
【図３】本発明の実施の形態における回転操作型電子部品の他の断面図
【発明を実施するための形態】
【００１０】
以下、本発明の実施の形態ついて図１〜図３を用いて説明する。
【００１１】
（実施の形態１）
図１は、回転操作型電子部品の断面図である。図２は、回転操作型電子部品の分解斜視図である。図３は、回転操作型電子部品の他の断面図である。
【００１２】
回転操作型電子部品２１は、たとえばエンコーダや、回転型のスイッチである。回転操作型電子部品２１は、ケース２２と、回転体２３と、金属カバー２４を含んでいる。ケース２２には、円環状の溝部２２Ａが形成されている。回転体２３は、溝部２２Ａ内に収容される円環状のフランジ部２３Ａを有している。さらに、回転体２３は、壁部２３Ｂを含んでいる。壁部２３Ｂは、フランジ部２３Ａの外周部に形成されている。さらに、壁部２３Ｂは、溝部２２Ａの開口方向へと突出している。金属カバー２４は、溝部２２Ａを覆っている。そして、壁部２３Ｂの上面が金属カバー２４で規制されている。
【００１３】
以上の構成により、壁部２３Ｂの上面が金属カバー２４で規制されているので、壁部２３Ｂの上端での回転体２３の上方向の移動を規制できる。したがって、回転体２３の傾きを小さくでき、回転体２３の位置の精度を向上できる。さらに、回転体２３の遊びを小さくできる。
【００１４】
以下、実施の形態１の回転操作型電子部品２１についてさらに詳しく説明する。フランジ部２３Ａは、円環状である。回転体２３は、円環状の突出部２３Ｄを含んでいる。突出部２３Ｄは、フランジ部２３Ａの中心に配置されている、すなわち、突出部２３Ｄは、中心に中央孔２３Ｃを含んでいる。そして、筒状部２２Ｂは、中央孔２３Ｃへと嵌合されている。なお、フランジ部２３Ａは、溝部２３Ｅを含んでいる。
【００１５】
エンコーダや、回転型のスイッチの回転操作型電子部品２１の場合、溝部２２Ａに接点部２２Ｃが形成されている。さらに、回転操作型電子部品２１は、端子２７を含んでいる。なお、接点部２２Ｃは、端子２７と電気的に接続されている。そして回転操作型電子部品２１は、端子２７によって、外部の回路と接続される。
【００１６】
金属カバー２４は、環状の天面部２４Ａと、脚部２４Ｂと、樹脂部３１とを含んでいる。脚部２４Ｂは、根元部２４Ｃと、先端部２４Ｄを含んでいる。そして、脚部２４Ｂは、根元部２４Ｃで、天面部２４Ａの外終端部から折れ曲がって形成されている。また、樹脂部３１は天面部２４Ａの内縁に一体となって成形されている。
【００１７】
ケース２２は、底部２２Ｄと、壁部２２Ｅを含んでいる。筒状部２２Ｂは、底部２２Ｄから突出して形成されている。壁部２２Ｅは、底部２２Ｄの外周端部から、折れ曲がって形成されている。なお、壁部２２Ｅは、筒状部２２Ｂと同じ方向に向かって延びて形成されている。この構成により、溝部２２Ａは、筒状部２２Ｂの外側面と、底部２２Ｄの上面と、壁部２２Ｅの内周側面とによって形成される。
【００１８】
金属カバー２４とケース２２とは次のように固定されている。金属カバー２４は、先端部２４Ｄをかしめることによって、ケース２２へ固定されている。すなわち、金属カバー２４をケース２２へ装着された状態で、先端部２４Ｄは、底部２２Ｄの下面に向かって折れ曲がっている。そして、根元部２４Ｃが、壁部２２Ｅの上端部に押し当てられた状態で、金属カバー２４をケース２２へ固定できる。この構成により、天面部２４Ａと壁部２２Ｅの上端との間に隙間が発生することを抑制できる。したがって、金属カバー２４は、精度良くケース２２へ装着できる。また、先端部２４Ｄをかしめた際の、根元部２４Ｃの近傍の変形量を小さくできる。さらに、壁部２３Ｂは、フランジ部２３Ａの外周端部に配置されているので、壁部２３Ｂを壁部２２Ｅに近接して配置できる。したがって、壁部２３Ｂの上端部は、根元部２４Ｃと近接して配置できる。その結果、壁部２３Ｂの上端部と、天面部２４Ａとの間の隙間を小さくできるので、回転体２３の傾きや、遊びを小さくでき
る。さらに、壁部２３Ｂの上端部と、天面部２４Ａとの間の隙間の寸法のばらつきも小さくできる。
【００１９】
さらに、金属カバー２４の天面部２４Ａの内縁にインサート成型によって樹脂部３１を設けることによって、回転体２３の突出部２３Ｄと天面部２４Ａとの擦れを抑制できる。そのため、突出部２３Ｄの磨耗を抑制することができる。
【００２０】
なお、脚部２４Ｂを配置する数は、偶数であることが好ましい。この場合、脚部２４Ｂは対向する位置に配置することが好ましい。この構成により、ケース２２を傾きなく保持できる。脚部２４Ｂは、たとえば４箇所形成しても良い。なお、脚部２４Ｂは、４箇所に限られず、３箇所以上であれば良い。ただし、脚部２４Ｂは、隣り合う脚部２４Ｂ同士の間隔を等しくなるように配置することが好ましい。この構成により、回転体２３との隙間を一定に保持できる。
【００２１】
また、金属カバー２４の材質は、鋼板であることが好ましい。この構成より、天面部２４Ａの変形を小さくすることができる。さらに、金属カバー２４の厚みは、０．３ｍｍ以上、０．６ｍｍ以下であることが好ましい。この構成により、根元部２４Ｃを小さい曲線で曲げることができる。また、先端部２４Ｄは、根元部２４Ｃの幅に比べて狭い部分を形成しておくことが好ましい。この構成により、先端部２４Ｄをかしめた際に、根元部２４Ｃにかかる応力を小さくできるので、根元部２４Ｃの変形量を小さくできる。
【００２２】
さらに、壁部２２Ｅは、規制溝２２Ｇ含むことが好ましい。規制溝２２Ｇは、壁部２２Ｅの外側側面において、脚部２４Ｂに対応する位置に配置されている。この構成により、脚部２４Ｂは規制溝２２Ｇによって規制されているので、脚部２４Ｂをかしめた際に、脚部２４Ｂの変形の発生を抑制できる。なお、規制溝２２Ｇの幅は、脚部２４Ｂの幅に対して、０．０５ｍｍ以上、０．２ｍｍ以下だけ広いことが好ましい。
【００２３】
回転操作型電子部品２１は、さらにグリス（図示せず）を含むことが好ましい。グリスは、溝部２３Ｅに塗布されている。この場合、壁部２３Ｂは、フランジ部２３Ａの外周部の全周に亘って円環状に形成されていることが好ましい。この構成により、回転体２３を回転した際に、壁部２３Ｂの上端での上方向の移動の規制を継続できる。その結果、回転体２３を回転時にも、回転体２３の傾きを小さくできる。また、回転体２３の遊びを小さくできる。さらに、溝部２３Ｅに塗布されたグリスの流出を規制できる。したがって、流れ出したグリスが接点部２２Ｃに到達し、接点障害を発生することを抑制できる。その結果、選択できるグリスの粘度の幅を広げることができるので、操作感触を変えることが出来る。
【００２４】
樹脂部３１には、合成ゴムや天然ゴムに代表される高弾性を有する樹脂材料を用いることが好ましい。また、樹脂部３１は、突出部２３Ｄに接触するように天面部２４Ａの内縁に設けることが好ましい。そして、天面部２４Ａの内縁全周に渡って樹脂部３１を設けることが好ましい。このとき、樹脂部３１は、回転体２３に沿いつつ、天面部２４Ａよりも上部または下部で回転体２３と接触することが好ましい。
【００２５】
このような構成とすることで、回転体２３の傾きを小さくできるとともに、操作感触に重みをつけることが可能となる。また、回転音を抑制することができる。さらに、回転体２３と金属カバー２４との間の隙間を減らすことができ、防塵性を向上することができる。
【００２６】
回転操作型電子部品２１は、さらに接点ブラシ２６を含むことが好ましい。接点ブラシ２６の一方の端部は、回転体２３に固定されている。一方、接点ブラシ２６の他方の端部
に、接触部２６Ａが形成されている。接触部２６Ａは、接点ブラシ２６の弾性力によって接点部２２Ｃと接触し、電気的に導通できるように構成されている。すなわち、接点ブラシ２６は、回転体を常に上方へと押し上げている。したがって、天面部２４Ａと、壁部２３Ｂの上端との間の隙間をさらに小さくできる。また、壁部２３Ｂの上端は、接点ブラシ２６の弾性力によって、天面部２４Ａへ押し付けられていることが好ましい。この構成により、天面部２４Ａと、壁部２３Ｂの上端との間の隙間の発生を抑制できる。
【００２７】
なお、接点ブラシ２６は、３個以上設けることが好ましい。ただし、接点ブラシ２６は、隣り合う接点ブラシ２６同士の間隔を等しくなるように配置することが好ましい。この構成により、回転体２３が、ケース２２に傾いて装着されることを抑制できる。
【００２８】
クリックバネ２５は、金属カバー２４に固定された状態で、溝部２３Ｅ内に収納されている。クリックバネ２５は、円弧状であり、中央部に突部２５Ａを含んでいる。そして、クリックバネ２５は、天面部２４Ａと、フランジ部２３Ａとの間に挟まれて保持されている。なお、クリックバネ２５は、天面部２４Ａにかしめなどによって結合されている。
【００２９】
通常、突部２５Ａは溝部２３Ｅの位置に配置されている。そして回転体２３を回転させることにより、突部２５Ａが溝部２３Ｅから移動し、フランジ部２３Ａを押し付ける。この際に、クリックバネ２５の弾性変形量が大きくなる。この構成により、回転体２３が回転する際に、節度を発生させることができる。
【００３０】
このように突部２５Ａは、フランジ部２３Ａ上をスライドする。一般的に、回転体２３は樹脂材料によって形成されている。一方、クリックバネ２５は金属材料によって形成されているこのような場合、突部２５Ａは、樹脂材料によって形成することが好ましい。この構成より、クリックバネ２５がフランジ部２３Ａ上をスライドすることによるフランジ部２３Ａの磨耗を抑制できる。したがって、回転体２３を回転する際の、クリックバネ２５の弾性変形量は、長期的に安定する。
【００３１】
なお、筒状部２２Ｂは、中央に孔部２２Ｆを設けることが好ましい。なお、孔部２２Ｆは、筒状部２２Ｂを、上面から底部２２Ｄまで貫通して形成されている。この構成により、孔部２２Ｆにスイッチ（図示せず）や発光体（図示せず）を実装できる。
【００３２】
さらに、回転操作型電子部品２１は、操作つまみ（図示せず）を含んでも良い。操作つまみは、操作者によって、回転操作される。操作つまみは、突出部２３Ｄの上に装着される。そして、操作つまみは、中央孔２３Ｃを覆い隠している。そのために、操作つまみは、たとえば突出部２３Ｄの外周側面に結合する。なお、操作つまみは、光透過性を有した材料によって形成することが好ましい。この構成により、操作つまみは回転体２３を確実に保持できる。この場合、操作つまみは、上面に表示模様を形成しても良い。そして、孔部２２Ｆ内に発光体（図示せず）を配置する。この構成により、表示模様を光らせることができる。
【産業上の利用可能性】
【００３３】
本発明にかかる回転操作型電子部品は、回転体の傾きを小さくできるという効果を有し、操作者によって操作される入力装置等に用いると有用である。
【符号の説明】
【００３４】
２１  回転操作型電子部品
２２  ケース
２２Ａ  溝部
２２Ｂ  筒状部
２２Ｃ  接点部
２２Ｄ  底部
２２Ｅ  壁部
２２Ｆ  孔部
２２Ｇ  規制溝
２３  回転体
２３Ａ  フランジ部
２３Ｂ  壁部
２３Ｃ  中央孔
２３Ｄ  突出部
２３Ｅ  溝部
２４  金属カバー
２４Ａ  天面部
２４Ｂ  脚部
２４Ｃ  根元部
２４Ｄ  先端部
２５  クリックバネ
２５Ａ  突部
２６  接点ブラシ
２６Ａ  接触部
２７  端子
３１  樹脂部
【図１】
2016207650.tif 000003
【図２】
2016207650.tif 000004
【図３】
2016207650.tif 000005